(57)【要約】【課題】送信する画像データのデータ量又は送信に要する送信時間をユーザに認識させて、最適な解像度で画像データの送信を行うことができ、送信コストを低減できる通信端末装置を提供する。【解決手段】読取部４にて原稿を読み取って画像データを取得し、取得した画像データのデータ量を算出し、データ量が所定量より多いか否かを判定する。データ量が所定量より多い場合には、表示部９に警告及び解像度の低減を促すメッセージを出力する。【選択図】図１
2007312089.tif 000002
【特許請求の範囲】
【請求項１】
送信用の画像データを取得する取得手段と、該取得手段が取得した画像データを送信する送信手段とを備える通信端末装置において、
前記取得手段が取得した画像データのデータ量を算出する算出手段と、
該算出手段が算出したデータ量が、所定量より多いか否かを判定する判定手段と、
該判定手段が前記所定量より前記データ量が多いと判定した場合に、画像データの解像度を低減して送信を行うか否かの選択を受け付ける受付手段と
を備えることを特徴とする通信端末装置。
【請求項２】
送信用の画像データを取得する取得手段と、該取得手段が取得した画像データを送信する送信手段とを備える通信端末装置において、
前記取得手段が取得した画像データを前記送信手段が送信する場合に要する予想送信時間を算出する算出手段と、
該算出手段が算出した予想送信時間が、所定時間より多いか否かを判定する判定手段と、
該判定手段が前記所定時間より前記予想送信時間が多いと判定した場合に、画像データの解像度を低減して送信を行うか否かの選択を受け付ける受付手段と
を備えることを特徴とする通信端末装置。
【請求項３】
前記算出手段は、前記取得手段が取得した画像データのデータ量に基づいて、予想送信時間を算出するようにしてある請求項２に記載の通信端末装置。
【請求項４】
送信先と、該送信先へ画像データを送信する場合の予想送信時間を算出するための参照情報とを対応付けて記憶する記憶手段を備え、
前記算出手段は、前記記憶手段が記憶した前記送信先及び前記参照情報に基づいて、予想送信時間を算出するようにしてある請求項２又は請求項３に記載の通信端末装置。
【請求項５】
前記参照情報は、前記送信先へ画像データを送信する場合の送信速度に係る情報を含む請求項４に記載の通信端末装置。
【請求項６】
前記参照情報は、前記送信先へ画像データを送信した場合の送信速度の履歴情報を含む請求項４又は請求項５に記載の通信端末装置。
【請求項７】
原稿を読み取って画像データに変換する読取手段を有し、
前記取得手段は、前記読取手段が読み取った原稿の画像データを取得するようにしてあり、
前記受付手段が画像データの解像度を低減して送信を行う選択を受け付けた場合に、前記読取手段による原稿の再読取を促すメッセージを出力する出力手段を備える請求項１乃至請求項６のいずれか１つに記載の通信端末装置。
【請求項８】
前記取得手段が取得した画像データを蓄積する蓄積手段と、
該蓄積手段に蓄積された画像データの解像度を低減する低減手段と
を備え、
前記受付手段が画像データの解像度を低減して送信を行う選択を受け付けた場合に、前記低減手段が画像データの解像度の低減を行うようにしてある請求項１乃至請求項６のいずれか１つに記載の通信端末装置。
【発明の詳細な説明】
【技術分野】
【０００１】
本発明は、画像データの送受信を行うファクシミリ装置などの通信端末装置に関し、更に詳しくは通信コストを抑制することができる通信端末装置に関する。
【背景技術】
【０００２】
従来から、原稿を読み取って画像データを取得し、取得した画像データの送信を行うファクシミリ装置が普及している。ファクシミリ装置においては、送信する画像データの解像度をユーザが設定することができるようにしてあり、解像度を高く設定した場合には、画像データのデータ量は多くなるが、高画質の画像データを送信することができる。また、解像度を低く設定した場合には、画像データの画質は低下するが、送信する画像データのデータ量が少なくなるため、送信時間を短縮することができる。ユーザは、送信する原稿の内容及び送信先等を考慮して、解像度の設定を行うことができる。
【０００３】
特許文献１においては、ユーザにより選択された読み込み解像度、原稿サイズ及び送信サイズの組み合わせがスキャンできない組み合わせであると判断した場合に、この組み合わせではスキャンできないこと及びスキャンするためには読み込み解像度を下げる必要があることをユーザに通知するためのスキャン不可画面をタッチパネル部に表示することにより、ユーザの操作を支援することができる画像読取装置が提案されている。
【０００４】
特許文献２においては、順次同報送信を行うときに、各送信先で要求される解像度に応じて、送信する画像データの解像度を選択可能にすることにより、送信先の要求に応じた解像度で送信することができ、通信時間の短縮を図ることができる順次同報送信方式が提案されている。これは、入力された解像度ランクを送信先番号に対応してＲＡＭ部に記憶しておき、送信時にＲＡＭ部に記憶された解像度ランクを読み出し、解像度ランクに基づいて設定された解像度を送信先ファクシミリに通知し、通知した解像度に基づいて画像情報を送信するように構成することで実現される。
【０００５】
特許文献３においては、画像データを複数の解像度の画像データに変換する画像処理部と、画像データを転送する端末装置を指定するためのユーザによる操作指令が入力される操作部と、端末装置にＰＩＮＧパケットを送信し、その応答時間を計測する応答時間計測部と、計測された応答時間を基に、解像度毎の画像データに対する端末装置までの転送予想時間を算出する転送時間算出部と、解像度毎のサムネイル画像を算出された転送時間と合わせて表示する表示部と、端末装置へ転送する解像度の画像データをユーザに選択させ、選択された解像度の画像データを端末装置に転送する通信部とを備え、端末装置までの通信トラフィックの混雑状況に応じて、画像データの解像度とこの解像度に対する転送速度との関係から、転送したい解像度の画像データを選択することができる画像読取装置が提案されている。
【特許文献１】特開２００４−１８７２１４号公報
【特許文献２】特開平７−２８３９２６号公報
【特許文献３】特開２００６−１４１９４号公報
【発明の開示】
【発明が解決しようとする課題】
【０００６】
しかしながら、従来のファクシミリ装置においては、送信する画像データの解像度をユーザが選択して設定することが可能であるが、実情ではユーザが送信を行う毎に最適な解像度を選択して設定を行うことは少なく、デフォルトの解像度又は前回送信を行った際の解像度を変更することなく送信を行っている場合が多い。このときに、必要以上に解像度
が高く設定されている場合には、送信する画像データの量が増し、ファクシミリ通信の通信時間が増すため、通信コストが増大する虞がある。特に、ＡＤＦ（Ａｕｔｏ  Ｄｏｃｕｍｅｎｔ  Ｆｅｅｄｅｒ、原稿自動送り装置）などにより多数頁の原稿を読み取ってファクシミリ通信を行う場合には、より通信コストが増大する虞がある。
【０００７】
特許文献１に記載の画像読取装置は、装置のハードウェア制限により原稿をスキャンできない条件を判断してユーザに通知する構成であり、通信コストを考慮したものではないため、上述の問題を解決することはできない。特許文献２に記載の順次同報送信方式は、順次同報送信を行う場合に、各送信先で要求される解像度に応じて送信する画像データの解像度を自動的に変更するものであり、送信する原稿の内容及び頁数等を考慮したものではないため、必要以上の高解像度で画像データの通信が行われる虞があり、通信コストが増大する虞がある。特許文献３に記載の画像読取装置は、送信先の端末装置にＰＩＮＧパケットを送信して応答時間を計測する構成であり、ＬＡＮ（Ｌｏｃａｌ  Ａｒｅａ  Ｎｅｔｗｏｒｋ）又はインターネット等による通信を対象とする構成であるため、ファクシミリ通信には不適である。また、予め画像データを複数の解像度の画像データに変換する必要があるため、演算処理を行うＣＰＵ又はＭＰＵ等の処理装置に対する負荷が大きく、高度且つ高価な処理装置を備える必要があり、画像読取装置のコストが増大する虞がある。
【０００８】
本発明は、斯かる事情に鑑みてなされたものであって、その目的とするところは、送信用の画像データを取得し、取得した画像データのデータ量が所定量より多い場合に、画像データの解像度を低減して送信を行うか否かの選択を受け付ける構成とすることにより、ユーザに画像データのデータ量を認識させて、最適な解像度の設定を行わせることができる通信端末装置を提供することにある。
【０００９】
また本発明の他の目的とするところは、送信用の画像データを取得し、取得した画像データの予想送信時間を算出し、予想送信時間が所定時間より多い場合に、画像データの解像度を低減して送信を行うか否かの選択を受け付ける構成とすることにより、ユーザに画像データの送信時間を認識させて、最適な解像度の設定を行わせることができる通信端末装置を提供することにある。
【００１０】
また本発明の他の目的とするところは、取得した画像データのデータ量に基づいて予想送信時間を算出する構成とすることにより、簡単に予想送信時間を算出でき、ユーザに画像データのデータ量及び送信時間を認識させて、最適な解像度の設定を行わせることができる通信端末装置を提供することにある。
【００１１】
また本発明の他の目的とするところは、送信先と、この送信先へ画像データを送信する場合の予想送信時間を算出するための参照情報とを予め記憶しておき、記憶した送信先及び参照情報に基づいて予想送信時間を算出する構成とすることにより、送信先毎に正確な予想送信時間を算出することができる通信端末装置を提供することにある。
【００１２】
また本発明の他の目的とするところは、予想送信時間を算出するための参照情報として、送信先へ画像データを送信する場合の送信速度に係る情報を記憶しておく構成とすることにより、送信先毎のより正確な予想送信時間を算出することができる通信端末装置を提供することにある。
【００１３】
また本発明の他の目的とするところは、予想送信時間を算出するための参照情報として、送信速度の履歴情報を記憶しておく構成とすることにより、送信先との通信状況に応じたより正確な予想送信時間を算出することができる通信端末装置を提供することにある。
【００１４】
また本発明の他の目的とするところは、送信する画像データの解像度を低減して送信を
行う選択を受け付けた場合に、ユーザへ再読取を促すメッセージを出力する構成とすることにより、最適な解像度での原稿の読み取りを行って、画像データの送信を行うことができる通信端末装置を提供することにある。
【００１５】
また本発明の他の目的とするところは、取得した画像データを蓄積し、蓄積された画像データの解像度を低減する手段を有し、送信する画像データの解像度を低減して送信を行う選択を受け付けた場合に、画像データの解像度を低減する構成とすることにより、原稿の再読み取りを行うことなく、画像データを最適な解像度に低減して送信することができる通信端末装置を提供することにある。
【課題を解決するための手段】
【００１６】
第１発明に係る通信端末装置は、送信用の画像データを取得する取得手段と、該取得手段が取得した画像データを送信する送信手段とを備える通信端末装置において、前記取得手段が取得した画像データのデータ量を算出する算出手段と、該算出手段が算出したデータ量が、所定量より多いか否かを判定する判定手段と、該判定手段が前記所定量より前記データ量が多いと判定した場合に、画像データの解像度を低減して送信を行うか否かの選択を受け付ける受付手段とを備えることを特徴とする。
【００１７】
本発明においては、送信用の画像データを取得し、取得した画像データのデータ量を算出し、画像データのデータ量が所定量より多いか否かを判定する。画像データのデータ量が所定量より多い場合には、画像データの解像度を低減して送信を行うか否かの選択をユーザから受け付ける。画像データのデータ量に応じて通信時間が増すため、データ量が所定量を超えた場合にユーザへ警告を発し、データ量を減少させるように解像度の低減を促すことで、送信する画像データのデータ量をユーザに認識させることができ、ユーザは適切な解像度設定を行うことができる。
【００１８】
また、第２発明に係る通信端末装置は、送信用の画像データを取得する取得手段と、該取得手段が取得した画像データを送信する送信手段とを備える通信端末装置において、前記取得手段が取得した画像データを前記送信手段が送信する場合に要する予想送信時間を算出する算出手段と、該算出手段が算出した予想送信時間が、所定時間より多いか否かを判定する判定手段と、該判定手段が前記所定時間より前記予想送信時間が多いと判定した場合に、画像データの解像度を低減して送信を行うか否かの選択を受け付ける受付手段とを備えることを特徴とする。
【００１９】
本発明においては、送信用の画像データを取得し、取得した画像データを送信する場合に要する予想送信時間を算出し、予想送信時間が所定時間より多いか否かを判定する。画像データの予想送信時間が所定量より多い場合には、画像データの解像度を低減して送信を行うか否かの選択をユーザから受け付ける。予想送信時間が所定時間を超えた場合にユーザへ警告を発し、予想送信時間を減少させるように解像度の低減を促すことで、送信する画像データの送信時間をユーザに認識させることができ、ユーザは適切な解像度設定を行うことができる。
【００２０】
また、第３発明に係る通信端末装置は、前記算出手段が、前記取得手段が取得した画像データのデータ量に基づいて、予想送信時間を算出するようにしてあることを特徴とする。
【００２１】
本発明においては、取得した画像データのデータ量に基づいて予想送信時間を算出する。画像データの送信時間はデータ量に略比例するため、データ量から簡単に予想送信時間を算出することができる。
【００２２】
また、第４発明に係る通信端末装置は、送信先と、該送信先へ画像データを送信する場合の予想送信時間を算出するための参照情報とを対応付けて記憶する記憶手段を備え、前記算出手段は、前記記憶手段が記憶した前記送信先及び前記参照情報に基づいて、予想送信時間を算出するようにしてあることを特徴とする。
【００２３】
本発明においては、送信先と、この送信先へ画像データを送信する場合の予想送信時間を算出するための参照情報とを予め記憶しておく。予想送信時間を算出する場合には、この参照情報を読み出し、送信先及び参照情報に基づいた算出を行う。送信先毎に通信条件が異なる場合には、送信する画像データのデータ量が同じであっても、送信時間が異なる可能性があるため、送信先毎に参照情報を記憶しておくことによって、送信先毎の送信時間を正確に算出できる。
【００２４】
また、第５発明に係る通信端末装置は、前記参照情報が、前記送信先へ画像データを送信する場合の送信速度に係る情報を含むことを特徴とする。
【００２５】
本発明においては、予想送信時間を算出するための参照情報として、送信先へ画像データを送信する場合の送信速度に係る情報を記憶しておく。送信先の装置又は通信回線等の構成によって送信速度が異なるため、これを予め送信先毎に記憶しておくことによって、送信先毎の正確な予想送信時間を算出できる。
【００２６】
また、第６発明に係る通信端末装置は、前記参照情報が、前記送信先へ画像データを送信した場合の送信速度の履歴情報を含むことを特徴とする。
【００２７】
本発明においては、予想送信時間を算出するための参照情報として、送信速度の履歴情報を送信先毎に記憶しておく。送信を行う毎に送信速度を履歴として記憶しておくことにより、送信速度が若干増減する場合であっても、送信先毎に正確な予想送信時間を算出することができる。
【００２８】
また、第７発明に係る通信端末装置は、原稿を読み取って画像データに変換する読取手段を有し、前記取得手段は、前記読取手段が読み取った原稿の画像データを取得するようにしてあり、前記受付手段が画像データの解像度を低減して送信を行う選択を受け付けた場合に、前記読取手段による原稿の再読取を促すメッセージを出力する出力手段を備えることを特徴とする。
【００２９】
本発明においては、通信端末装置が例えば光学的手段により原稿を読み取ることによって、送信する画像データを取得する。画像データの解像度を低減して送信を行う選択をユーザから受け付けた場合に、原稿の再読取を促すメッセージを出力し、最適な解像度で読み取られた原稿の画像データを送信する。通信端末装置が複雑な処理を行うことなく、解像度が低減された画像データを送信することができる。
【００３０】
また、第８発明に係る通信端末装置は、前記取得手段が取得した画像データを蓄積する蓄積手段と、該蓄積手段に蓄積された画像データの解像度を低減する低減手段とを備え、前記受付手段が画像データの解像度を低減して送信を行う選択を受け付けた場合に、前記低減手段が画像データの解像度の低減を行うようにしてあることを特徴とする。
【００３１】
本発明においては、取得した画像データを蓄積しておき、画像データの解像度を低減して送信を行う選択をユーザから受け付けた場合に、蓄積された画像データを読み出して解像度を低減し、解像度低減後の画像データを送信する。画像データの解像度の低減を自動的に行うことによって、ユーザは簡単に解像度の低減を行うことができる。
【発明の効果】
【００３２】
第１発明による場合は、送信用の画像データを取得し、取得した画像データのデータ量が所定量より多い場合に、画像データの解像度を低減して送信を行うか否かの選択を受け付ける構成とすることにより、送信する画像データのデータ量をユーザに認識させることができ、ユーザは適切な解像度設定を行うことができるため、画像データの送信コストを低減することができると共に、通信端末装置の利便性を向上することができる。
【００３３】
また、第２発明による場合は、送信用の画像データを取得し、取得した画像データの予想送信時間を算出し、予想送信時間が所定時間より多い場合に、画像データの解像度を低減して送信を行うか否かの選択を受け付ける構成とすることにより、送信する画像データの送信時間をユーザに認識させることができ、ユーザは適切な解像度設定を行うことができるため、画像データの送信コストを低減することができると共に、通信端末装置の利便性を向上することができる。
【００３４】
また、第３発明による場合は、取得した画像データのデータ量に基づいて予想送信時間を算出する構成とすることにより、データ量から簡単に予想送信時間を算出することができるため、予想送信時間を算出するために通信端末装置のＣＰＵ又はＭＰＵ等が複雑な処理を行う必要がなく、この機能を備えることによる通信端末装置のコストの増加を抑制することができる。
【００３５】
また、第４発明による場合は、送信先と、この送信先へ画像データを送信する場合の予想送信時間を算出するための参照情報とを予め記憶しておき、記憶した参照情報に基づいて予想送信時間を算出する構成とすることにより、送信先毎の予想送信時間を正確に算出できるため、予想送信時間の算出の信頼性を高めることができる。
【００３６】
また、第５発明による場合は、予想送信時間を算出するための参照情報として、送信先へ画像データを送信する場合の送信速度に係る情報を記憶しておく構成とすることにより、送信先の装置又は通信回線等の構成によって送信速度が異なる場合であっても、これを予め送信先毎に記憶しておくことによって、送信先毎の正確な予想送信時間を算出できるため、予想送信時間の算出の信頼性を確実に高めることができる。
【００３７】
また、第６発明による場合は、予想送信時間を算出するための参照情報として、送信速度の履歴情報を記憶しておく構成とすることにより、送信速度が若干増減する場合であっても、正確な予想送信時間を算出することができるため、予想送信時間の算出の信頼性をより確実に高めることができる。
【００３８】
また、第７発明による場合は、送信する画像データの解像度を低減して送信を行う選択を受け付けた場合に、ユーザへ原稿の再読取を促すメッセージを出力する構成とすることにより、通信端末装置が複雑な処理を行うことなく、解像度が低減された画像データを送信することができるため、解像度を低減して画像データの送信を行う機能を備えることによる通信端末装置のコストの増加を抑制することができる。
【００３９】
また、第８発明による場合は、取得した画像データを蓄積し、蓄積された画像データの解像度を低減する手段を有し、送信する画像データの解像度を低減して送信を行う選択を受け付けた場合に、蓄積された画像データの解像度を低減する構成とすることにより、原稿の再読み取りを行うことなく、画像データの解像度の低減を自動的に行って、最適な解像度に低減した画像データを送信することができるため、通信端末装置の利便性を向上することができる。
【発明を実施するための最良の形態】
【００４０】
（実施の形態１）
以下、本発明をその実施の形態を示す図面に基づき具体的に説明する。なお、本実施の形態においては、通信端末装置としてファクシミリ装置を例に説明を行う。図１は、本発明の実施の形態１に係るファクシミリ装置の構成を示すブロック図である。図において１は、ファクシミリ装置に備えられたＮＣＵ（Ｎｅｔｗｏｒｋ  Ｃｏｎｔｒｏｌ  Ｕｎｉｔ）２、モデム３、読取部４、記録部５、ＲＯＭ６、ＲＡＭ７、画像メモリ８、表示部９及び操作部１０等の各部の制御を行う制御部であり、これら各部と制御部１とはバス１１を介して接続されている。
【００４１】
制御部１は、具体的にはＣＰＵ（Ｃｅｎｔｒａｌ  Ｐｒｏｃｅｓｓｉｎｇ  Ｕｎｉｔ）で構成されており、ファクシミリ装置の各部を制御すると共に、ＲＯＭ６に記憶された制御プログラムに従って、後述の処理及びその他の種々のソフトウェア的機能を実行するようにしてある。
【００４２】
また、ＮＣＵ２は、ＰＳＴＮ（Ｐｕｂｌｉｃ  Ｓｗｉｔｃｈｅｄ  Ｔｅｌｅｐｈｏｎｅ
Ｎｅｔｗｏｒｋ、公衆電話回線網）との回線の閉結及び開放の動作を行うハードウェアであり、ＰＳＴＮとモデム３とのインタフェース回路を有している。モデム３は、データの送信を行う場合には、デジタルの画像データをアナログの音声データに変換し、ＰＳＴＮを介して他のファクシミリ装置へ送信するようにしてあり、また、データの受信を行う場合には、アナログの音声信号をデジタルの画像データに変換し、画像メモリ８へ記憶するようにしてある。
【００４３】
読取部４は、例えばＣＣＤ（Ｃｈａｒｇｅ  Ｃｏｕｐｌｅｄ  Ｄｅｖｉｃｅ）を利用した光学系で原稿を読み取り、読み取った原稿を基にした画像データを出力するようにしてあり、読取部４が出力する画像データは画像メモリ８に記憶されるようにしてある。また、図示は省略するが、読取部４はＡＤＦを有しており、複数頁の原稿を自動的に読み取ることができるようにしてある。記録部５は、電子写真方式のプリンタ装置であって、ファクシミリ通信により受信した画像データ又は読取部４にて読み取った原稿の画像データ等を画像メモリ８から読み出して、記録用紙に記録するようにしてある。
【００４４】
ＲＯＭ６には、ファクシミリ装置の動作に必要な種々のソフトウェアの制御プログラムが記憶されており、マスクＲＯＭ、ＥＥＰＲＯＭ又はフラッシュメモリ等の不揮発性のメモリ素子により構成されている。ＲＡＭ７は、制御部１が制御処理又は演算処理等を行う際に発生する一時的なデータを記憶するものであり、ＳＲＡＭ、ＤＲＡＭ又はフラッシュメモリ等の書き換え可能なメモリ素子により構成されている。画像メモリ８もまた、ＳＲＡＭ、ＤＲＡＭ又はフラッシュメモリ等の書き換え可能なメモリ素子により構成され、読取部４が原稿を読み取って得られた画像データ及び他のファクシミリ装置から受信した画像データ等を一時的に記憶するものである。
【００４５】
表示部９は、例えば液晶パネルなどにより構成されるものであり、ファクシミリ装置の動作状態又はユーザへの警告メッセージ等を表示するようにしてある。操作部１０は、複数のボタン又はスイッチ等を有しており、ユーザがこれらのボタン又はスイッチ等へ与える操作を受け付けて制御部１へ通知するようにしてある。なお、操作部１０は表示部９の表示画面に対するユーザの接触を検知するタッチセンサ（図示せず）を有しており、表示部９に表示されたメニュー又はボタン等にユーザが触れることで操作を受け付けることが可能にしてある。これは所謂タッチパネルであり、操作部１０はタッチパネルを含むものである。制御部１は、操作部１０が受け付けた操作に応じて処理を行うようにしてある。
【００４６】
実施の形態１に係るファクシミリ装置は、原稿を読取部４にて読み取って画像データの送信を行うとき、読み取った画像データのデータ量を調べ、データ量が予め定められた所
定量を超えた場合に、ユーザに対して警告を発し、画像データの解像度の低減を促す機能を備えている。図２は、本発明の実施の形態１に係るファクシミリ装置の制御部１が行うデータ送信処理の手順を示すフローチャートである。
【００４７】
まず、制御部１は、操作部１０に設けられた送信ボタン（図示せず）が押下されることによりユーザからの送信指示を受け付けたか否かを調べ（ステップＳ１）、送信指示を受け付けていない場合は（Ｓ１：ＮＯ）、送信指示を受け付けるまで待機する。また、制御部１は送信する画像データのデータ量をカウントするためのカウンタ又は変数等を有しており、送信指示を受け付けた場合（Ｓ１：ＹＥＳ）、カウンタ又は変数等によりカウントされる画像データのデータ量を”０”に初期化する（ステップＳ２）。次いで、読取部４にて原稿を１枚読み取り（ステップＳ３）、読み取った原稿の画像データのデータ量を算出してカウンタ又は変数等に加算し（ステップＳ４）、データ量の合計が予め定められた所定量より多いか否かを調べる（ステップＳ５）。
【００４８】
読み取った原稿の画像データのデータ量の合計が所定量以下の場合（Ｓ５：ＮＯ）、読取部４により全ての原稿を読み取ったか否かを調べる（ステップＳ６）。全ての原稿を読み取っていない場合（Ｓ６：ＮＯ）、ステップＳ３へ戻り、原稿の読取及び読み取った原稿の画像データのデータ量の合計が所定量より多いか否かの判定を繰り返し行う。原稿の読み取りを繰り返し行い、データ量の合計が所定量を超えることなく、全ての原稿を読み取った場合（Ｓ６：ＹＥＳ）、読み取った原稿を指定された送信先へ送信し（ステップＳ１４）、処理を終了する。また、原稿の読み取りを繰り返し行って、ステップＳ５にて原稿の画像データのデータ量の合計が所定量より多い場合（Ｓ５：ＹＥＳ）、警告及び解像度の低減を促すメッセージを表示部９へ出力する（ステップＳ７）。
【００４９】
図３は、本発明の実施の形態１に係るファクシミリ装置が出力するメッセージの一例を示す模式図であり、データ量の判定基準となる所定量として１０ＭＢが予め定められている場合を図示してある。読み取った原稿の画像データのデータ量の合計が１０ＭＢを超えた場合、表示部９にはメッセージ出力用のウィンドウ３０が表示され、ウィンドウ３０内の上部に「送信データ量が１０ＭＢを超えました」のようなメッセージ３１が出力され、メッセージ３１の下側に、２つのうちのいずれか一方を選択することができるメニューボタン３２及び３３が出力される。上述のように、表示部９はタッチパネルとして用いることができるようにしてあり、メニューボタン３２に触れることで「このまま送信する」を選択することができ、メニューボタン３３に触れることで「解像度を低減して送信する」を選択することができるようにしてある。
【００５０】
ステップＳ７にて図３に示すメッセージを表示部９へ出力した後、ユーザがメニューボタン３２に触れて「このまま送信する」が選択されたか否かを調べ（ステップＳ８）、「このまま送信する」が選択された場合には（Ｓ８：ＹＥＳ）、読取部４により原稿の読み取りを行う（ステップＳ９）。次いで、全ての原稿を読み取ったか否かを調べ（ステップＳ１０）、全ての原稿を読み取っていない場合は（Ｓ１０：ＮＯ）、ステップＳ９へ戻り、原稿の読み取りを繰り返し行う。全ての原稿を読み取った場合（Ｓ１０：ＹＥＳ）、読み取った原稿を指定された送信先へ送信し（ステップＳ１４）、処理を終了する。
【００５１】
ステップＳ８にて、「このまま送信する」が選択されていない場合、即ちユーザがメニューボタン３３に触れて「解像度を低減して送信する」が選択された場合（Ｓ８：ＮＯ）、原稿の再読取を促すメッセージを表示部９へ出力する（ステップＳ１１）。
【００５２】
図４は、本発明の実施の形態１に係るファクシミリ装置が出力するメッセージの一例を示す模式図である。表示部９にはメッセージ出力用のウィンドウ４０が表示され、ウィンドウ４０内に「解像度を低減して原稿をシートフィーダに再セットし、送信ボタンを押し
て下さい」のようなメッセージ４１が出力される。これにより、ユーザに対して解像度の低減と、原稿の再読取とを促すことができる。
【００５３】
ステップＳ１１にてメッセージを表示部９へ出力した後、例えば操作部１０に設けられた解像度設定ボタン（図示せず）が押下されることによるユーザからの解像度の低減指示を受け付け（ステップＳ１２）、画像メモリ８に記憶されている既に読み取った原稿の画像データをクリアして（ステップＳ１３）、ステップＳ１へ戻り、操作部１０に設けられた送信ボタンが押下されてユーザからの送信指示を受け付けるまで待機する。その後、上述の処理を繰り返し行い、ステップＳ６又はＳ１０にて全ての原稿の読み取りを行ったと判定した場合に、読み取った画像データの送信を行って（ステップＳ１４）、処理を終了する。
【００５４】
以上の構成のファクシミリ装置は、読取部４にて読み取った原稿の画像データが所定量を超えた場合に、ユーザに対して警告及び解像度の低減を促すメッセージを出力することができるため、ユーザは適切な解像度の設定を行うことができ、通信コストの増大を抑制することができる。
【００５５】
なお、本実施の形態においては、読取部４にて読み取った原稿の画像データをファクシミリ通信により送信する構成としたが、これに限るものではなく、例えばファクシミリ装置がＬＡＮ（Ｌｏｃａｌ  Ａｒｅａ  Ｎｅｔｗｏｒｋ）に接続可能な構成である場合に、ＰＣ（パーソナルコンピュータ）から与えられた画像データを送信する構成としてもよい。また、原稿の読み取りと送信とを同時に行わずに、予め記憶された原稿の画像データを読み出してファクシミリ通信による送信を行う構成であってもよい。また、読取部４がＡＤＦを備える構成としたが、これに限るものではなく、読取部４がＡＤＦを備えずに、ユーザが原稿を１頁ずつ読み取らせる構成としてもよい。また、図１に示すファクシミリ装置はアナログのＰＳＴＮを利用する所謂Ｇ３ファクシミリ装置であるが、これに限るものではなく、ＩＳＤＮ回線などを利用する所謂Ｇ４ファクシミリ装置であってもよく、画像データを電子メールとして送信するファクシミリ装置であってもよい。また、図２に示したフローチャートのステップＳ５にて行う判定に用いる所定量を可変としてもよい。例えば、ファクシミリ装置に、写真の多い原稿を読み取る写真モードと、文字の多い原稿を読み取る文字モードとを切り替える機能が備えられている場合に、このモードの選択に応じて判定に用いる所定量を可変とすることができる。更に他の条件に応じて所定量を可変としてもよい。
【００５６】
（変形例）
上述のファクシミリ装置は、解像度の低減を行う場合にユーザが原稿を読取部４にて再読取させる構成であるが、変形例に係るファクシミリ装置は、再読取を行うことなく、既に読み取った画像データの解像度を自動的に低減する構成である。図５は、本発明の実施の形態１の変形例に係るファクシミリ装置の制御部が行うデータ送信処理の手順を示すフローチャートである。
【００５７】
まず、操作部１０に設けられた送信ボタンが押下されることにより、ユーザからの送信指示を受け付けたか否かを調べ（ステップＳ３１）、送信指示を受け付けていない場合は（Ｓ３１：ＮＯ）、送信指示を受け付けるまで待機し、送信指示を受け付けた場合は（Ｓ３１：ＹＥＳ）、カウンタ又は変数等によりカウントされる画像データのデータ量を”０”に初期化する（ステップＳ３２）。次いで、読取部４にて原稿を１頁読み取り（ステップＳ３３）、読み取った原稿の画像データのデータ量を算出してカウンタ又は変数等に加算し（ステップＳ３４）、データ量の合計が予め定められた所定量より多いか否かを調べる（ステップＳ３５）。
【００５８】
読み取った原稿の画像データのデータ量の合計が所定量以下の場合（Ｓ３５：ＮＯ）、読取部４により全ての原稿を読み取ったか否かを調べる（ステップＳ３６）。全ての原稿を読み取っていない場合（Ｓ３６：ＮＯ）、ステップＳ３３へ戻り、原稿の読取及び読み取った原稿の画像データのデータ量の合計が所定量より多いか否かの判定を繰り返し行う。原稿の読み取りを繰り返し行い、データ量の合計が所定量を超えることなく、全ての原稿を読み取った場合（Ｓ３６：ＹＥＳ）、読み取った原稿を指定された送信先へ送信し（ステップＳ４１）、処理を終了する。また、原稿の読み取りを繰り返し行って、ステップＳ３５にて原稿の画像データのデータ量の合計が所定量より多いと判定した場合（Ｓ３５：ＹＥＳ）、警告及び解像度の低減を促すメッセージを表示部９へ出力する（ステップＳ３７）。ここで表示部９へ表示するメッセージは、図３に示したものと同じである。
【００５９】
ステップＳ３７にてメッセージを表示部９へ出力した後、ユーザがメニューボタン３２に触れて「このまま送信する」が選択されたか否かを調べ（ステップＳ３８）、「このまま送信する」が選択された場合には（Ｓ３８：ＹＥＳ）、読取部４により原稿の読み取りを行う（ステップＳ３９）。次いで、全ての原稿を読み取ったか否かを調べ（ステップＳ４０）、全ての原稿を読み取っていない場合は（Ｓ４０：ＮＯ）、ステップＳ３９へ戻り、原稿の読み取りを繰り返し行う。全ての原稿を読み取った場合（Ｓ４０：ＹＥＳ）、読み取った原稿を指定された送信先へ送信し（ステップＳ４１）、処理を終了する。
【００６０】
ステップＳ３８にて、「このまま送信する」が選択されていない場合、即ちユーザがメニューボタン３３に触れることで「解像度を低減して送信する」が選択された場合（Ｓ３８：ＮＯ）、既に読み取った原稿の画像データの解像度を低減する解像度低減処理を行い（ステップＳ５０）、ステップＳ３３へ戻る。その後、低減された解像度で続きの原稿の読み取りを行い、上述の処理を繰り返し行って、ステップＳ３６又はＳ４０にて全ての原稿の読み取りを行ったと判定した場合に、読み取った画像データの送信を行って（ステップＳ４１）、処理を終了する。
【００６１】
図６は、本発明の実施の形態１の変形例に係るファクシミリ装置の制御部が行う解像度低減処理の手順を示すフローチャートであり、図５のフローチャートのステップＳ５０にて行われる処理を図示したものである。解像度低減処理では、まず、ユーザから解像度の設定を受け付け（ステップＳ５１）、カウンタ又は変数等によりカウントされる画像データのデータ量を”０”に初期化する（ステップＳ５２）。次いで、画像メモリ８に記憶された画像データを１頁分読み出し（ステップＳ５３）、解像度の低減を行う（ステップＳ５４）。
【００６２】
１頁分の画像データの解像度を低減した後、解像度低減後の画像データを画像メモリ８に記憶し（ステップＳ５５）、解像度低減後の画像データのデータ量を算出してカウンタ又は変数等に加算する（ステップＳ５６）。次いで、画像メモリ８に記憶された全画像データについて解像度を低減したか否かを調べ（ステップＳ５７）、全画像データについて解像度を低減していない場合（Ｓ５７：ＮＯ）、ステップＳ５３へ戻り、全ての画像データに対して解像度の低減を行う。全画像データについて解像度を低減した場合（Ｓ５７：ＹＥＳ）、解像度低減処理を終了して図５に示したフローチャートへ戻る。
【００６３】
以上の構成の変形例に係るファクシミリ装置は、画像データの解像度を低減して送信する場合であっても、ユーザが読取部４に原稿を再読み取りさせる必要がない。よって、ファクシミリ装置の利便性を高めることができる。
【００６４】
（実施の形態２）
実施の形態１に係るファクシミリ装置は、読み取った原稿の画像データのデータ量を算出し、データ量の合計が所定量を超えた場合にメッセージ出力を行う構成としたが、実施
の形態２に係るファクシミリ装置は、読み取った原稿の画像データを送信する場合の予想送信時間を算出し、予想送信時間が所定時間を超えた場合にメッセージ出力を行う構成である。予想送信時間を算出するために、実施の形態２に係るファクシミリ装置は、送信先毎の送信速度の履歴情報を送信速度テーブルとしてＲＡＭ７に記憶している。このため、ＲＡＭ７は不揮発性のメモリ素子であることが望ましい。
【００６５】
図７は、本発明の実施の形態２に係るファクシミリ装置が有する送信速度テーブルの構成例を示す模式図である。送信速度テーブルには、登録された送信先の名称（送信先名）と、送信先のファクシミリ番号（送信先番号）と、この送信先へデータ送信を行った際の過去３回分の送信速度（送信速度１、２、３[ｂｐｓ]）と、３つの送信速度の平均（平均送信速度［ｂｐｓ］）との情報が含まれている。送信先名及び送信先番号はユーザが登録するものであり、送信速度１、２、３はデータ送信を行う場合にファクシミリ装置が自動的に取得して登録するものであり、平均送信速度は送信速度１、２、３からファクシミリ装置が自動的に算出するものである。
【００６６】
図８及び図９は、本発明の実施の形態２に係るファクシミリ装置の制御部が行うデータ送信処理の手順を示すフローチャートである。まず、操作部１０に設けられた送信ボタンが押下されることにより、ユーザからの送信指示を受け付けたか否かを調べ（ステップＳ７１）、送信指示を受け付けていない場合は（Ｓ７１：ＮＯ）、送信指示を受け付けるまで待機する。送信指示を受け付けた場合（Ｓ７１：ＹＥＳ）、カウンタ又は変数等によりカウントされる画像データのデータ量を”０”に初期化し（ステップＳ７２）、読取部４にて原稿を１頁読み取って（ステップＳ７３）、読み取った原稿の画像データのデータ量を算出してカウンタ又は変数等に加算する（ステップＳ７４）。
【００６７】
次いで、ＲＡＭ７に記憶された送信速度テーブルを読み出して（ステップＳ７５）、データ量の合計と送信速度テーブル中の送信先の平均送信速度とを基に、予想送信時間を算出する（ステップＳ７６）。予想送信時間は、データ量の合計を平均送信速度で除算することにより算出することが可能である。予想送信時間を算出した後、予想送信時間が予め定められた所定時間より多いか否かを調べ（ステップＳ７７）、予想送信時間が所定時間以下の場合（Ｓ７７：ＮＯ）、読取部４により全ての原稿を読み取ったか否かを調べる（ステップＳ７８）。全ての原稿を読み取っていない場合（Ｓ７８：ＮＯ）、ステップＳ７３へ戻り、原稿の読取及び予想送信時間の算出等を繰り返し行う。
【００６８】
原稿の読み取りを繰り返し行って、ステップＳ７７にて予想送信時間が所定時間より多いと判定した場合（Ｓ７７：ＹＥＳ）、警告及び解像度の低減を促すメッセージを表示部９へ出力する（ステップＳ８２）。このときに表示部９に出力されるメッセージは、図３に示したものと略同じであるが、ウィンドウ３０内のメッセージ３１として、例えば「予想送信時間が１０分を超えました」などが出力される。
【００６９】
ステップＳ８２にてメッセージを表示部９へ出力した後、ユーザがメニューボタン３２に触れて「このまま送信する」が選択されたか否かを調べ（ステップＳ８３）、「このまま送信する」が選択された場合には（Ｓ８３：ＹＥＳ）、読取部４により原稿の読み取りを行う（ステップＳ８４）。次いで、全ての原稿を読み取ったか否かを調べ（ステップＳ８５）、全ての原稿を読み取っていない場合は（Ｓ８５：ＮＯ）、ステップＳ８４へ戻り、原稿の読み取りを繰り返し行う。
【００７０】
ステップＳ８３にて、「このまま送信する」が選択されていない場合、即ちユーザがメニューボタン３３に触れて「解像度を低減して送信する」が選択された場合（Ｓ８３：ＮＯ）、原稿の再読取を促すメッセージを表示部９へ出力する（ステップＳ８６）。このときに表示部９に出力されるメッセージは、図４に示したものと略同じである。メッセージ
出力後、ユーザからの解像度の低減指示を受け付け（ステップＳ８７）、画像メモリ８に記憶されている既に読み取った原稿の画像データをクリアし（ステップＳ８８）、ステップＳ７１へ戻って、操作部１０に設けられた送信ボタンが押下されてユーザからの送信指示を受け付けるまで待機する。
【００７１】
また、ステップＳ７８及びＳ８５にて、全ての原稿の読み取りを行った場合（Ｓ７８：ＹＥＳ、Ｓ８５：ＹＥＳ）、読み取った画像データの送信を行う（ステップＳ７９）。次いで、画像データの送信が終了したか否かを調べ（ステップＳ８０）、送信が終了していない場合は（Ｓ８０：ＮＯ）、ステップＳ７９へ戻って画像データの送信を継続して行い、送信が終了した場合は（Ｓ８０：ＹＥＳ）、送信に要した時間と送信したデータ量から送信速度を算出して、送信速度テーブルの送信速度１、２、３のいずれか（例えば、最も古い情報が記憶されているもの）を更新し（ステップＳ８１）、処理を終了する。
【００７２】
以上の構成の実施の形態２に係るファクシミリ装置は、送信先と送信先への送信速度の履歴情報とを記憶した送信速度テーブルを用いることによって、送信先毎に予想送信時間を算出でき、予想送信時間に応じて警告及び解像度の低減を促すメッセージを出力することができるため、送信先毎に最適な解像度で画像データの送信を行うことができる。
【００７３】
なお、図７に示した送信速度テーブルの構成は一例であって、これに限るものではない。送信速度テーブルに３回分の送信速度を記憶する構成としたが、これに限るものではなく、１回分のみの送信速度を記憶する構成としてもよい。また、送信速度テーブルに記憶する送信速度を実際に通信を行った際の送信速度としたが、これに限るものではなく、最大送信速度を取得して送信速度テーブルに記憶する構成としてもよい。また、実施の形態１の変形例に示したように、画像データの解像度の低減を自動的に行う構成としてもよい。また、図８に示したフローチャートのステップＳ７７にて行う判定に用いる所定時間を可変としてもよい。例えば、送信速度テーブルの送信先番号に記憶されたファクシミリ番号が海外のものである場合と国内のものである場合とで、判定に用いる所定時間を可変とすることができる。また、送信先を登録する際にユーザが個別に所定時間を設定する構成としてもよい。
【００７４】
また、実施の形態２に係るファクシミリ装置のその他の構成は、実施の形態１に係るファクシミリ装置の構成と同様であるため、対応する箇所には同じ符号を付して詳細な説明を省略する。
【図面の簡単な説明】
【００７５】
【図１】本発明の実施の形態１に係るファクシミリ装置の構成を示すブロック図である。
【図２】本発明の実施の形態１に係るファクシミリ装置の制御部が行うデータ送信処理の手順を示すフローチャートである。
【図３】本発明の実施の形態１に係るファクシミリ装置が出力するメッセージの一例を示す模式図である。
【図４】本発明の実施の形態１に係るファクシミリ装置が出力するメッセージの一例を示す模式図である。
【図５】本発明の実施の形態１の変形例に係るファクシミリ装置の制御部が行うデータ送信処理の手順を示すフローチャートである。
【図６】本発明の実施の形態１の変形例に係るファクシミリ装置の制御部が行う解像度低減処理の手順を示すフローチャートである。
【図７】本発明の実施の形態２に係るファクシミリ装置が有する送信速度テーブルの構成例を示す模式図である。
【図８】本発明の実施の形態２に係るファクシミリ装置の制御部が行うデータ送信処理の手順を示すフローチャートである。
【図９】本発明の実施の形態２に係るファクシミリ装置の制御部が行うデータ送信処理の手順を示すフローチャートである。
【符号の説明】
【００７６】
１  制御部（算出手段、判定手段、低減手段）
２  ＮＣＵ（送信手段）
３  モデム（送信手段）
４  読取部（取得手段、読取手段）
５  記録部
６  ＲＯＭ
７  ＲＡＭ
８  画像メモリ（蓄積手段）
９  表示部（出力手段）
１０  操作部（受付手段）
３０  ウィンドウ
３１  メッセージ
３２、３３  メニューボタン
４０  ウィンドウ
４１  メッセージ
【図１】
2007312089.tif 000003
【図２】
2007312089.tif 000004
【図３】
2007312089.tif 000005
【図４】
2007312089.tif 000006
【図５】
2007312089.tif 000007
【図６】
2007312089.tif 000008
【図７】
2007312089.tif 000009
【図８】
2007312089.tif 000010
【図９】
2007312089.tif 000011